【手続補正書】
【提出日】平成23年5月23日(2011.5.23)
【手続補正１】
【補正対象書類名】特許請求の範囲
【補正対象項目名】全文
【補正方法】変更
【補正の内容】
【特許請求の範囲】
【請求項１】
無線通信において増大データ速度送信を行う方法であって、
媒体アクセス制御（MAC）レベルにて、複数個の無線通信規格データ速度を組み合わせた速度にてデータを処理してMAC処理済みデータを生成するステップと、
前記複数個の無線通信規格データ速度を組み合わせた速度に対応する速度にて前記MAC処理済みデータを符号化して高速度符号化データを生成するステップと、
区間毎にMビットとして前記高速度符号化データを複数本の符号化データ・ストリームへと分割するステップであり、前記符号化データ・ストリームの本数はNであり、前記Nは１より大きい整数であり、前記Mは１より大きい整数かまたは１であるステップと、
前記複数本の符号化データ・ストリームの各々に対し個別にインターリーブを行ってN本のストリームのインターリーブ済みデータを生成するステップと、
前記N本のストリームのインターリーブ済みデータの各々を処理してベースバンドにおける複数の信号またはベースバンドの近傍における複数の信号を生成するステップであり、上記複数の信号の個数は前記Nであるステップと、
前記複数の信号の各々を複数の無線周波（RF）信号へと変換するステップと、
前記無線通信規格データ速度に従って、前記複数のRF信号を複数のRFチャネル上で送信するステップと、を有する無線通信において増大データ速度送信を行う方法。
【請求項２】
前記複数の符号化データの各々を処理するステップは、
前記N本のストリームのインターリーブ済みデータの各々に対して、
前記N本のストリームのインターリーブ済みデータの内で１本のストリームの各々の区間に対しシンボル・マッピングを行って複数個のシンボルを生成する段階と、
該複数個のシンボルに関して高速逆フーリエ変換（IFFT）を実行して複数個の時間領域シンボルを生成する段階と、
前記複数個の時間領域シンボル間にガードインターバルを挿入して前記複数の信号を生成する段階と、を含む請求項１記載の方法。
【請求項３】
前記複数の符号化データの各々を処理するステップは、
無線通信規格に準拠するトレーニング・シーケンスを前記複数の信号の各々のフレームのヘッダ部分へと段階を含み、前記無線通信規格は前記無線通信規格データ速度を規定する請求項２記載の方法。
【請求項４】
前記トレーニング・シーケンスは、短いトレーニング・シーケンスおよび長いトレーニング・シーケンスの少なくとも一方を含む請求項３記載の方法。
【請求項５】
前記複数の符号化データの各々を処理するステップは、
前記無線通信規格に準拠する信号フィールドを前記複数の信号の各々のフレームのヘッダ部分へと挿入する段階を含み、前記信号フィールドのフレーム長およびバイト数は、前記複数個の無線通信規格データ速度の組み合わせの内で一つの無線通信規格データ速度に対応する請求項３記載の方法。
【請求項６】
前記複数の符号化データの各々を処理するステップは、
無線通信規格に準拠するパイロット・トーンを前記複数の信号の各々のフレーム内に挿入する段階を含み、前記無線通信規格は前記無線通信規格データ速度を規定する請求項２記載の方法。
【請求項７】
前記複数の信号の各々は、前記無線通信規格データ速度を規定する無線通信規格に従うパワースペクトル密度およびデータ変調を含む請求項２記載の方法。
【請求項８】
前記無線通信規格データ速度は、IEEE802.11a、IEEE802.11b、IEEE802.11gおよび他の無線規格において指定された一つ以上のデータ速度を含む請求項１記載の方法。
【請求項９】
高いデータ速度の無線通信送信を受信する方法であって、
複数のRFチャネル上で無線通信規格データ速度に従って複数の無線周波（RF）信号を受信するステップと、
前記複数のRF信号の各々を複数の信号へと変換するステップと、
前記複数の信号の各々に対して、
前記複数の信号からガードインターバルを除去して時間領域シンボルを生成するステップと、
前記時間領域シンボルに対して高速フーリエ変換（FFT）を実行して周波数領域シンボルを生成するステップと、
前記周波数領域シンボルに対しシンボル・マッピング解除を行ってN本のストリームのインターリーブ済みデータを生成するステップであって、前記Nは前記整数の倍数に対応するステップと、
N個のベースバンド・チャネルまたはベースバンド近傍チャネルに亙る前記N本のストリームのインターリーブ済みデータに対しインターリーブ解除を行って、区間毎にMビットとして前記N本のインターリーブ解除済みデータを結合して、高速度符号化データを生成するステップと、
前記複数個の無線通信規格データ速度を組み合わせた速度に対応する速度にて前記高速度符号化データを復号化して前記MAC処理済みデータを生成するステップと、
前記MAC処理済みデータを複数個の無線通信規格データ速度を組み合わせた速度にて処理して復元データを生成するステップと、を有する高いデータ速度の無線通信送信を受信する方法。
【請求項１０】
前記インターリーブ解除は、
前記N本のストリームのインターリーブ済みデータの各々に対し個別にインターリーブ解除を行ってN本のストリームのインターリーブ解除済みデータを生成する段階を含む請求項９記載の方法。
【請求項１１】
増大データ速度にて無線通信送信を行い得る送信機であって、
MACレベルにて、複数個の無線通信規格データ速度を組み合わせた速度にてデータを処理してMAC処理済みデータを生成すべく作用的に接続された媒体アクセス制御（MAC）モジュールと、
前記複数個の無線通信規格データ速度を組み合わせた速度に対応する速度にて前記MAC処理済みデータを符号化して高速度符号化データを生成すべく作用的に接続されたベースバンド処理モジュールのエンコーダと、
区間毎にMビットとして前記高速度符号化データを複数本の符号化データ・ストリームへと分割すべく作用的に接続されたベースバンド処理モジュールの分割モジュールであって、前記複数本の符号化データ・ストリームの本数はNであり、前記Nは１より大きな整数であり、かつ、前記Mは１より大きいかまたは１に等しい整数である分割モジュールと、
前記複数本の符号化データ・ストリームの各々に対しN個のベースバンドまたはベースバンドの近傍のチャネルにおいて個別にインターリーブを行って前記N本のストリームのインターリーブ済みデータを生成すべく作用的に接続され、前記複数の信号の個数がNの倍数であるベースバンド処理モジュールのインターリーブ・モジュールと、
前記ベースバンド処理モジュールは、前記N本のストリームのインターリーブ済みデータをさらに処理してベースバンドにおける複数の信号またはベースバンドの近傍における複数の信号を生成すべく作用的に接続され、前記複数の信号の個数は前記Nの倍数であり、
前記複数の信号の各々を複数の無線周波（RF）信号へと変換すべく作用的に接続され、かつ、前記無線通信規格データ速度に従って前記複数のRF信号を複数のRFチャネル上で送信すべく作用的に接続された無線周波送信モジュールと、を備える送信機。
【請求項１２】
前記ベースバンド処理モジュールは、
前記N本のストリームのインターリーブ済みデータの内で１本のストリームの各々の区間に対しシンボル・マッピングを行って複数個のシンボルを生成すべく作用的に接続されたシンボル・マッピング・モジュールと、
該複数個のシンボルに関して高速逆フーリエ変換（IFFT）を実行して複数個の時間領域シンボルを生成すべく作用的に接続されたIFFTモジュールと、
前記複数個の時間領域シンボル間にガードインターバルを挿入して複数の信号を生成すべく作用的に接続されたガードインターバル・モジュールと、を有する請求項１１記載の送信機。
【請求項１３】
前記ベースバンド処理モジュールは、さらに、
無線通信規格に準拠するトレーニング・シーケンスを前記複数の信号の各々のフレームのヘッダ部分へと挿入すべく作用的に接続されたトレーニング・シーケンス・モジュールを有し、前記無線通信規格は前記無線通信規格データ速度を規定し、前記トレーニング・シーケンスは、短いトレーニング・シーケンスおよび長いトレーニング・シーケンスの少なくとも一方を含む請求項１２記載の送信機。
【請求項１４】
前記ベースバンド処理モジュールは、さらに、
前記無線通信規格に準拠する信号フィールドを前記複数の信号の各々のフレームのヘッダ部分へと挿入すべく作用的に接続された信号フィールド・モジュールを有し、前記信号フィールドのフレーム長およびバイト数は、前記複数個の無線通信規格データ速度の組み合わせの内の一つの無線通信規格データ速度に対応する請求項１３記載の送信機。
【請求項１５】
前記ベースバンド処理モジュールは、
無線通信規格に準拠するパイロット・トーンを前記複数の信号の各々のフレーム内に挿入すべく作用的に接続されたパイロット・トーン・モジュールを有し、前記無線通信規格は前記無線通信規格データ速度を規定する請求項１２記載の送信機。
【請求項１６】
高いデータ速度の無線通信送信を受信し得る受信機であって、
複数の無線周波（RF）信号を複数の信号へと変換すべく作用的に接続されたRF受信モジュールであって、前記複数のRF信号は複数のRFチャネルを介して受信され、前記複数の信号の各々は、少なくとも一つの無線通信規格データ速度に従うデータ速度を有するというRF受信モジュールと、
前記複数の信号からガードインターバルを除去して時間領域シンボルを生成すべく作用的に接続されたベースバンド処理モジュールのガードインターバル・モジュールと、
前記時間領域シンボルに対して高速フーリエ変換（FFT）を実行して周波数領域シンボルを生成すべく作用的に接続されたベースバンド処理モジュールのFFTモジュールと、
前記周波数領域シンボルに対しシンボル・マッピング解除を行ってN本のストリームのインターリーブ済みデータを生成すべく作用的に接続されたベースバンド処理モジュールのシンボル・マッピング解除モジュールであって、前記Nは前記整数の倍数に対応するというシンボル・マッピング解除モジュールと、
N個のベースバンド・チャネルまたはベースバンド近傍チャネルに亙る前記N本のストリームのインターリーブ済みデータに対しインターリーブ解除を行い、区間毎にMビットとして前記N本のストリームのインターリーブ済みデータを結合して高速度符号化データを生成すべく作用的に接続されたベースバンド処理モジュールのインターリーブ解除モジュールと、
前記少なくとも一つの無線通信規格データ速度を複数個組み合わせた速度に対応する速度にて前記高速度符号化データを復号化して前記MAC処理済みデータを生成すべく作用的に接続された復号化モジュールと、を備え、
前記ガードインターバル・モジュール、前記FFTモジュール、前記シンボル・マッピング解除モジュール、前記インターリーブ解除モジュールおよび前記復号化モジュールは、ベースバンドまたはベースバンド近傍で、前記複数の信号を処理して、前記MAC処理済みデータを生成し、
前記少なくとも一つの無線通信規格データ速度を複数個組み合わせた速度にて前記MAC処理済みデータを処理して復元データを生成すべく作用的に接続されたMAC処理モジュールと、を備える受信機。
【請求項１７】
前記インターリーブ解除モジュールは、
前記N本のストリームのインターリーブ済みデータに対しインターリーブ解除を行ってN本のストリームのインターリーブ解除済みデータを生成すべく作用的に接続された複数のインターリーブ解除器を有する請求項１６記載の受信機。
【手続補正２】
【補正対象書類名】明細書
【補正対象項目名】発明の名称
【補正方法】変更
【補正の内容】
【発明の名称】無線通信における増大データ速度送信および受信方法、送信機および受信機